(57)【特許請求の範囲】
【請求項１】
リニア・システム内に設置され複数のローラーを収容し、リニア・システム内ローラー通路を流動する装置であって、整列された複数のローラーの両端面側にそれぞれ配設された二つの連接部と、互いに対向し、前記連接部と垂直に連接した直線状の保持部と、各ローラーを仕切る直線状の仕切部とを含むローラー連結保持装置において、
前記仕切部は、互いに対向する二つの保持部の上端と下端とにそれぞれ連接して位置決めされ、
前記二つの保持部の上下端に連接した二つの仕切部の両側にはローラーの転がり面と線的に接触する支え側辺がそれぞれ設けてあり、
前記仕切部と保持部の連接箇所には型開け逃げ溝が設けてあり、
前記二つの仕切部と、前記二つの保持部とにより、ローラーを保持しつつ、潤滑油を保有する矩形の中空構造を構成することを特徴とする、
ローラー連結保持装置。
【請求項２】
前記二つの連接部は、ローラーの転がり面の二つの働き接触部位の間に位置することを特徴とする、請求項１に記載のローラー連結保持装置。
【請求項３】
前記二つの仕切部の支え側辺はローラーの軸心に対応し、その角部がそれぞれローラーの転がり面と線的に接触し、且つ上下端の仕切部はローラーの上下働き接触部位の両側に位置することを特徴とする、請求項１又は２に記載のローラー連結保持装置。
【請求項４】
前記二つの連接部は、ローラーの転がり面の二つの働き接触部位の距離をほぼ一致させたことを特徴とする、請求項２に記載のローラー連結保持装置。
【発明の詳細な説明】
【技術分野】
【０００１】
本発明は、ローラー連結保持装置に係り、特に、ローラーを転がり素子としリニア・システムに適用可能なローラー連結保持装置に関するものである。
【背景技術】
【０００２】
目下、市販しているリニアガイドウェーのローラー用仕切具は主に三種類ある。
【０００３】
一つは、米国特許ＵＳ6,626,572 B2で提案されている。これは図１に示すように、ローラー１０の両端面に保持チェーン１２を組付けたものである。
保持チェーン１２の仕切部１１の製造方法は、ローラー１０を金型の中子とし、まず、ローラー１０を金型内に設置して、ローラー１０の表面に沿って樹脂射出成形を実施する。しかしながら、これは次のような欠点があった。
【０００４】
（イ）保持チェーン１２の仕切部１１の製造方法は、ローラー１０を金型の中子としてローラー１０の間に直接に成形するので、生産技術は極めて複雑である。金型の寸法はローラーの数量に応じて変化することが必要であり、より長いチェーン１２を作製しようとする場合には、使用するローラー１０の数量が多くなり、生産作業の時間は長くなり、生産の困難度も向上になる。そのため、生産コストは高い。
【０００５】
（ロ）仕切部１１はローラー１０を金型の中子としてローラー１０の間に直接に成形するので、仕切部１１を成形する前に、仕切部１１とローラー１０の間に型抜け剤を塗布することが必要になるため、生産作業が複雑になり、生産コストは高い。
【０００６】
（ハ）チェーン１２にある仕切部１１は円弧面でローラー１０に対応し、前記円弧面の曲率半径はローラー１０の半径と一致であるので、仕切部１１とローラー１０は面的な接触になり、摩擦抵抗は大幅に増加する。
【０００７】
二つ目は、米国特許ＵＳ6,390,678 B1で提案されている。これは、図２に示すように、ローラー１０を金型の中子として、ローラー１０の間に仕切部１３を射出成形すると共に、仕切部１３を連結する連接部１３１も射出成形したものである。
各仕切部１３は、ローラー１０の接触転がり面に対応し、且つ連接部１３１に連結される。このような構成は上記従来のものに良く似ているが、連接部１３１の成形位置は異なる。しかし、これは次のような欠点がある。
【０００８】
（イ）連接部１３１と仕切部１３とは、ローラー１０を金型の中子として、ローラー１０の間に直接に成形したので、生産技術は極めて複雑である。金型の寸法はローラーの数量に応じて変化することが必要であり、より長いチェーン１２を作製しようとする場合には、使用するローラー１０の数量が多くなり、生産作業の時間は長くなり、生産の困難度も向上になり、だから、生産コストは高い。
【０００９】
（ロ）仕切部１３はローラー１０を金型の中子としてローラー１０の間に直接に成形するので、仕切部１３を成形する前に、仕切部１３とローラー１０の間に型抜け剤を塗布することが必要になり、生産作業が複雑になり、生産コストは高い。
【００１０】
（ハ）連接部１３１がローラー１０の接触転がり面の中央に設けられ、スライダには前記連接部１３１に対応する案内溝を開設することが必要であり、案内溝の加工は難しいので、生産コストは高くて、連接部１３１によりローラーの転がり順調性は降下する。
【００１１】
（ニ）仕切部１３は円弧面でローラー１０に対応し、前記円弧面の曲率半径はローラー１０の半径と一致であるので、仕切部１１とローラー１０は面的な接触になり、摩擦抵抗は大幅に増加する。
【００１２】
（ホ）ローラー１０のもっとも重要な負荷は半径方向にあるが、連接部１３１はローラー１０の半径方向に位置するので、ローラーとスライダの接触面接が大幅に減少になり、リニアガイドウェーの負荷能力および剛性は大幅に低減になる。
【００１３】
三つ目は、米国特許ＵＳ2005/0152625 A1で提案されている。これは、図３に示すように、ローラー１０の両端面の接触側辺には互いに平行する連接部１５が二つ設けてあり、前記二つの連接部１５から内側に傾斜した支持部１４が多数に設けてある。前記支持部１４の他端には仕切部１６が設けてあり、前記仕切部１６がローラー１０の他の転がり接触側辺に当接する。しかし、これは次のような欠点がある。
【００１４】
（イ）二つの連接部１５がローラー１０の両端面の接触側辺に設けられ、二つの連接部１５とローラー１０の働き接触部位との接触は面的な接触であるので、ローラーの転がり順調性は降下になり、摩擦抵抗は大幅に増加する。
【００１５】
（ロ）支持部１４は内側に傾斜した形態であるので、より短い仕切部１６はローラー１０の中段に接触するだけであり、ローラー１０は一側からの保持力を受けるだけであるので、運行時に、仕切部１６と支持部１４とは揺動し易く、これにより、ローラー１０に対する保持力は不均一である。
【発明の開示】
【発明が解決しようとする課題】
【００１６】
本発明の主な目的は、成形工程は容易になり、大量生産は可能になるローラー連結保持装置を提供することにある。
【００１７】
本発明の次の目的は、運行が安定で順調になるローラー連結保持装置を提供することにある。
【００１８】
本発明の別の目的は、ローラーを潤滑するための潤滑剤を貯蔵可能になるローラー連結保持装置を提供することにある。
【課題を解決するための手段】
【００１９】
上記目的を達成するためになされた本願の発明は、リニア・システム内に設置され複数のローラーを収容し、リニア・システム内ローラー通路を流動する装置であって、整列された複数のローラーの両端面側にそれぞれ配設された二つの連接部と、互いに対向し、前記連接部と垂直に連接した直線状の保持部と、各ローラーを仕切る直線状の仕切部とを含むローラー連結保持装置において、前記仕切部は、互いに対向する二つの保持部の上端と下端とにそれぞれ連接して位置決めされ、前記二つの保持部の上下端に連接した二つの仕切部の両側にはローラーの転がり面と線的に接触する支え側辺がそれぞれ設けてあり、前記仕切部と保持部の連接箇所には型開け逃げ溝が設けてあり、前記二つの仕切部と、前記二つの保持部とにより、ローラーを保持しつつ、潤滑油を保有する矩形の中空構造を構成することを特徴とする、ローラー連結保持装置であることを要旨としている。
【００２０】
本願の発明では、前記連接部は、前記二つの連接部は、ローラーの転がり面の二つの働き接触部位の間に位置することを特徴とする、請求項１に記載のローラー連結保持装置であることを要旨としている。
【００２１】
本願の発明では、前記二つの仕切部の支え側辺はローラーの軸心に対応し、その角部がそれぞれローラーの転がり面と線的に接触し、且つ上下端の仕切部はローラーの上下働き接触部位の両側に位置することを特徴とする、請求項１又は２に記載のローラー連結保持装置であることを要旨としている。
【００２２】
本願の発明では、前記二つの連接部は、ローラーの転がり面の二つの働き接触部位の距離をほぼ一致させることを特徴とする、請求項２に記載のローラー連結保持装置であることを要旨としている。
【発明の効果】
【００２３】
本発明に係るローラー連結保持装置によれば、成形工程は容易になり、大量生産は可能になり、運行が安定で順調になり、ローラーを潤滑するための潤滑剤を貯蔵可能になるという効果がある。
【発明を実施するための最良の形態】
【００２４】
以下、添付図面を参照して本発明の好適な実施の形態を詳細に説明する。
【００２５】
まず、図４乃至図６を参照する。本発明に係るローラー連結保持装置は、リニア・システム内に設置され多数のローラー２０を収容し、リニア・システム内のローラー通路を流動し、連接部３０と、保持部４０と、仕切部６０とを含む。
【００２６】
前記連接部３０は、整列されたローラー２０の両端面２１側に取付けられ、ローラー２０の転がり面２２の二つの働き接触部位２２１との距離をほぼ一致させるものであり、本発明では、連接部がローラー２０の転がり面２１の二つの働き接触部位２２１の間を保持していればよい。
【００２７】
前記保持部４０は、互いに対向し、前記連接部３０と垂直に連接する。
【００２８】
前記仕切部６０は、対向する二つの保持部４０の上端と下端とに連接し位置決められ、上下端にある仕切部６０は、互いに対向し、ローラー２０を仕切り、前記仕切部６０の両側には支え側辺６１がそれぞれ設けてある。
ローラー２０と前記支え側辺６１は線的に接触し、且つ全ての支え側辺６１がローラー２０の軸心に対応し、上下端の仕切部６０がローラー２０の上下働き接触部位２２１の両側に位置し、仕切部６０と保持部４０の連接箇所には型開け逃げ溝５０が設けてある。
また、二つの仕切部６０と、二つの保持部４０とは矩形の中空構造を構成し、前記中空構造により、ローラー２０が保持され、潤滑油を保有することもできる。
【００２９】
次に、図５と図６を参照して本発明の使用状態を詳細に説明する。
【００３０】
本発明に係る仕切部６０は、対向する二つの保持部４０の上端と下端とに連接して位置決めされる。上下端にある仕切部６０は、互いに対向し、ローラーを仕切り、これにより、ローラー２０が安定に保持され順調に運行することができる。
【００３１】
また、仕切部６０の両側には支え側辺６１がそれぞれ設けてある。ローラー６０と支え側辺６１は線的に接触し、対向する仕切部６０の支え側辺６１はローラー２０の軸心に対応するので、仕切部６０とローラー２０の摩擦抵抗は高くない。
【００３２】
特に、ローラー２０の上下働き接触部位２２１の両側に位置する仕切部６０によりローラー２０は安定に運行することができ、ひいてはローラー連結保持装置の流動は安定で順調になり、隣接するローラー２０は互いに衝突しなくなる。
また、二つの仕切部６０と、二つの保持部４０とから構成した矩形の中空構造により、潤滑油を保有することもでき、且つ保持部４０および上下端の仕切部６０の変形を防止することができる。
これにより、運行時に、本発明に係るローラー連結保持装置は揺れなくなり、ひいてはリニアガイドウェーの揺れ、摩擦抵抗および騒音は大幅に低減になる。
【００３３】
また、本発明では、図７に示すように、仕切部６０と保持部４０の連接箇所には型開け逃げ溝５０が設けてあり、且つ連接部３０と保持部４０と仕切部６０とは互いに平行に、又は垂直の関係となるように構成する。
したがって、金型Ａは型開け逃げ溝５０により容易に通過可能である。
また、本発明に係るローラー連結保持装置はローラー２０を保持するための矩形中空構造を有するので、従来のようにローラーを先に入れて射出成形する必要はなく、金型Ａに設けたスライダＢを引き出すだけで前記矩形中空構造が形成される。
【図面の簡単な説明】
【００３４】
【図１】従来のものの組合状態を示す斜視図である。
【図２】別の従来のものの分解斜視図である。
【図３】更に別の従来のものの組合状態を示す斜視図である。
【図４】本発明の組合状態を示す斜視図である。
【図５】本発明にローラーを組付けた状態を示す斜視図である。
【図６】図５の一部の拡大側面図である。
【図７】本発明の射出成形を示す断面概略図である。
【符号の説明】
【００３５】
１０      ローラー                １１      仕切部
１２      チェーン                １３      仕切部
１３１    連接部                  １４      傾斜支持部
１５      連接部                  １６      仕切部
２０      ローラー                ２１      端面
２２      転がり面                ２２１    働き接触部位
３０      連接部                  ４０      保持部
５０      型開け逃げ溝            ６０      仕切部
６１      支え側辺                Ａ        金型
Ｂ        スライダ
【図１】
0004417914.tif 000002
【図２】
0004417914.tif 000003
【図３】
0004417914.tif 000004
【図４】
0004417914.tif 000005
【図５】
0004417914.tif 000006
【図６】
0004417914.tif 000007
【図７】
0004417914.tif 000008